(57)【要約】      （修正有）【課題】足底装具を装着し障害者用靴を履いている方々が、足底装具を装着したままで市販靴を履くことができ、また、足に装具を装着して靴下を履く又は脱ぐことが楽に行なえる足底装具を提供する。【解決手段】足底装具本体を上部と下部に２分割して、外出時上部のみを市販靴に挿入して入れやすくする。市販靴の底には高くした敷き皮（足底装具の下部形状と同じ物）を敷いて置く。歩行目的（室内又は室外）によって装具下部を取り替えて歩行する足障害者用足底装具である。また靴下様のホルダーに開閉式の粘着性物質層を取り付けて足底装具を取り外しできるようにした。【選択図】図２
2005312716.tif 000002
【特許請求の範囲】
【請求項１】
足障害者用足底装具において、足底装具本体を２分割でき、取り外しが可能で、装具上部
と下部が前後左右に動かないことを特徴とする足障害者用足底装具。
【請求項２】
前記足底装具上部と下部の分割方法は、足底装具本体の床面に平行に任意位置で分割する。
その分割した装具下部形状と同じ形状の物をもう一つ作製する足障害者用足底装具。
【請求項３】
前記足底装具上・下部は、上部凹の台形と下部凸の台形の嵌め込み構造となっており、取
り外しが容易である足障害者用足底装具。
【請求項４】
前記足底装具上部・下部の固定方法は、上部と下部面に、粘着性物質層が形成され、例え
ば面ファスナような物であり、該粘着性物質層の粘着力によって足底装具上・下部は固定される請求項
１〜3に記載の足障害者用足底装具。
【請求項５】
請求項1〜４いずれかに記載の足障害者用足底装具装着用靴下又は足袋であって、該靴下又
は足袋内側の挿入口から足の平までに面ファスナ及び開閉式ファスナを取り付けてあり、室内用・室外
用で装具下部を取り付け、取り外し時にファスナを開き装具下部を取り替えできることを特徴とする足
障害者用足底装具のホルダー。また、従来の装具でも適用するホルダー。
【発明の詳細な説明】
【発明の属する技術分野】
【０００１】
本発明は、関節炎又は事故等の複雑骨折で足脚長差による障害者の足底装具に関するものである。
【従来の技術】
【０００２】
足の裏に装具高さ３０〜５０ｍｍの装具図1を装着し、室内外を歩行している。外出時は義肢製造会社で製作した障害者用靴を履き歩行する。市販靴では装具を装着し靴に挿入したとき足の甲が靴の舌皮に当たり、装具の踵部が靴の市皮（踵部）に干渉して入らない。障害者用靴製作では、補助金の交付を受けられるが製作費用が高価格である。製作日数もかかる。健常者と同様の靴数を保持することは経済的に困難になっている。また、足に装具装着して靴下を履く際に、装具が高いため靴下を両手で無理やり引っ張っているので、装具が動いたりコーナーに引っ掛かったりするため調整しながら入れなければならない。また、脱ぐときも両手で力を入れて靴下を押し下げなければならない。このため時間を要し、その取扱いに苦労する。
【０００３】
図１は従来の足障害者用足底装具の一例を示す図で、（Ａ）は（Ｂ）を上から見た図であり、図の上方向が外側側、下方向が内側側を示す、図１の（Ｂ）は側面を示し、（Ｃ）は（Ａ）のａ−ａ線断面図で、足底装具の内部構造を示している。
【発明の開示】
【発明が解決しようとする課題】
【０００４】
そこで本発明は、上記した従来の問題点を解消しようとするもので、その目的するところは、足底装具を装着し障害者用靴を履いている方々に、足底装具を装着したままで市販靴を履ける足底装具を提供する。また、足に装具装着して靴下を履く又は脱ぐときに楽に履ける又は脱ぐことを提供することにある。
【課題を解決するための手段】
【０００５】
本発明は、足障害者用足底装具を床面に平行の任意位置で２分割にして上部と下部の着脱自在にできる。室内では下部を取り付けて歩行する。外出時は下部を取り外し、市販靴に敷いてある足底装具下部の上に足を乗せて歩行することを要旨とする。
【０００６】
足底装具下部取り外し時は、靴下様のホルダーに取り付けた面ファスナ及び開閉式ファスナを開き、靴下を装具取り付け部まで下げ，足底装具下部を取り外し、靴下を上げファスナを閉める。
【発明の実施の形態及び実施例】
【０００７】
本発明に係る足障害者用足底装具を、実施例を示す図面を参照し具体
的に説明するが、本発明はもとより図示例に限定される訳ではなく、記載の前後記の趣旨に適合し得る範囲で変更を加えて実施することも含め、本発明の技術的範囲に包含される。
【０００８】
図２は足障害者用足底装具の５０ｍｍと３０ｍｍを例として足底装具上部と下部を取り付けた状態を表す図である。また図３は足底装具上部から下部を取り外した状態を表す図であり、足底装具上部と下部の本体は天然ゴム系のゴム等を使用し柔軟性と衝撃を吸収することができる。上部は本体上面と側面に皮を貼り付け、足の甲部分に面ファスナを取り付ける（足を固定用とする）。底部に面ファスナを取り付ける（下部外れ防止）。下部は本体側面と底面に皮を貼り付け、上面に面ファスナを取り付ける（上部から外れ防止）。
【０００９】
図３の（Ａ）は足底装具の上部で（Ｂ）の上から見た図である。（Ｂ）は側面示す、（Ｃ）はｂ−ｂ線断面図で、足底装具の内部構造を示している。足底装具１は天然ゴム系のゴム等を使用する。底部特徴は本体底部の下部凸部挿入する部分に凹形状を設け、下部の凸部が入りやすくするためのθ角度の勾配を前後左右に設けた。２は本体上面と側面に皮を貼り付ける。３は足の甲部分に面ファスナを取り付ける（足を固定用とする）。４は底部に面ファスナを取り付ける（下部外れ防止）。
【００１０】
図３の（Ｄ）は足底装具の下部で（Ｅ）の上から見た図である。（Ｅ）は側面を示す、（Ｆ）はｃ−ｃ線断面図で、足底装具の内部構造を示している。足底装具１は天然ゴム系のゴム等を使用する。２は本体側面に皮を貼り付け、４は上面部に面ファスナを取り付ける（上部外れ防止）。５は合成樹脂板、メタクリル樹脂板等を使用出来る。長期屋外利用でも劣化しないガラスより軽く強いものを使用するとよい。足底装具の特徴は本体底部の上部凹部挿入する部分に凸形状を設け、上部の凹部が入りやすくするためのθ角度の勾配を前後左右に設けた。
【００１１】
図４の（Ａ）は足底装具を靴下の様なホルダーで、足底装具を履いた状態を示す図である。（Ｂ）はｄ−ｄ線断面図で、足底装具ホルダーの内部構造を示している。足底装具ホルダーの６は面ファスナ等を取り付け、足底装具下部脱着するときに面ファスナ等を開閉して行う。
【００１２】
図５の（Ａ）は靴底に入れる足底装具下部を接着した敷き皮を示す、（Ｂ）は市販靴の底にいれた足底装具下部を接着した敷き皮を示す図。足底装具７は足底装具で装着した図を示す敷き皮である。
【図面の簡単な説明】
【００１３】
【図１】従来の足障害者用足底装具の一例を示す図。
【図２】本発明の実施例に係る足障害者用足底装具の上部に下部を取り付けた図。例として５０ｍｍと３０ｍｍの図。（Ａ）は上面図、（Ｂ）は側面図、（Ｃ）は（Ａ）に示すａ−ａ線断面図。
【図３】足障害者用足底装具の上部から下部を取り外した図。（Ａ）（Ｂ）（Ｃ）は足底装具の上部図。（Ｄ）（Ｅ）（Ｆ）は足底装具の下部図。（Ａ）（Ｄ）は上面図、（Ｂ）（Ｅ）は側面図、（Ｃ）（Ｆ）は（Ａ）又は（Ｄ）に示すｂ−ｂ線又はｃ−ｃ線の断面図。
【図４】（Ａ）はホルダーに足底装具を収納した状態を表し側面図。（Ｂ）は（Ａ）に示すｄ−ｄ線の断面図。
【図５】（Ａ）は靴底に入れる足底装具下部を接着した敷き皮図、（Ｂ）は市販靴の底にいれた足底装具下部を接着した敷き皮図。
【符号の説明】
【００１４】
１  足底装具本体
２  皮
３  足固定用面ファスナー
４  足底装具上部・下部固定用面ファスナー
５  合成樹脂
６  ホルダー接着用面ファスナー
７  敷き皮
【図１】
2005312716.tif 000003
【図２】
2005312716.tif 000004
【図３】
2005312716.tif 000005
【図４】
2005312716.tif 000006
【図５】
2005312716.tif 000007